(57)【要約】【課題】異物侵入を抑制しながら電源冷却が可能な画像形成装置を提供すること。【解決手段】低圧電源が収容された収容部１０１の上部にはカバー板１０２が設けられる。低圧電源の紙面上下方向に交差する右側方において、紙面上下方向に延出する延出板１０３が収容部１０１に設けられる。収容部１０１では、上記右側方に向けて開口した開口部１０７がカバー板１０２と延出板１０３との間に形成される。従って、上下方向で落下する水滴等の異物が開口部１０７を介して収容部１０１内に侵入することを抑制できる。また、画像形成装置１の作動時に低圧電源を冷却する冷却ファンが急停止しても、収容部１０１の開口部１０７を介して収容部１０１内の熱気を逃し、急停止中の冷却ファンを通過した空気が収容部１０１内に流れ込む。この流れにより収容部１０１内に発生した自然対流は、収容部１０１内の低圧電源を冷却する。【選択図】図３
2013080170.tif 000002
【特許請求の範囲】
【請求項１】
シート上に転写されたトナー像を定着させることにより前記シート上に画像を形成する画像形成装置であって、
前記シート上に前記トナー像を定着させる定着部と、
前記定着部の上方に設けられ、前記画像形成装置に給電する電源と、
作動時に前記電源を冷却する冷却ファンと、
前記電源が収容された収容部と、を備え、
前記収容部は、
前記収容部の上部に設けられたカバー板と、
前記電源の上下方向に交差する側方において、前記上下方向に延出する延出板と、
前記カバー板と前記延出板との間に形成され、前記側方に向けて開口した開口部と、  を有すること、
を特徴とする画像形成装置。
【請求項２】
請求項１に記載する画像形成装置であって、
前記カバー板は、前記側方に延出し、
前記延出板は、前記カバー板の下方に設けられ、
前記開口部は、前記カバー板と前記延出板とが上下方向において離間することにより形成された開口であり、
前記カバー板は、前記側方において前記延出板部より張り出していること、を特徴とする画像形成装置。
【請求項３】
請求項１又は請求項２に記載する画像形成装置であって、
前記収容部の前記開口部より下方に設けられた吸気口を備えたこと、を特徴とする画像形成装置。
【請求項４】
請求項１乃至請求項３のいずれか一つに記載する画像形成装置であって、
前記収容部の側面から前記開口部へ向かうに連れて上っていく傾斜部を前記収容部の内部に設けたこと、を特徴とする画像形成装置。
【請求項５】
請求項１乃至請求項４のいずれか一つに記載する画像形成装置であって、
前記開口部は、前記カバー板と前記電源との間に並んで設けられた複数の通気口を有し、
前記複数の通気口は、前記冷却ファンから遠ざかるに連れて開口面積が大きいこと、を特徴とする画像形成装置。
【請求項６】
請求項１乃至請求項４のいずれか一つに記載する画像形成装置であって、
前記開口部は、前記冷却ファンから遠ざかるに連れて前記上下方向における開口幅が長いこと、を特徴とする画像形成装置。
【請求項７】
請求項１乃至請求項６のいずれか一つに記載する画像形成装置であって、
前記カバー板は、前記収容部の側面のうち前記開口部と対向する側面側よりも前記開口部側が高く傾斜していること、を特徴とする画像形成装置。
【請求項８】
請求項１乃至請求項７のいずれか一つに記載する画像形成装置であって、
前記開口部より張り出した前記カバー板の先端から上方に突出して設けられた上方突片部を備えたこと、を特徴とする画像形成装置。
【請求項９】
請求項４に記載する画像形成装置であって、
前記開口部より張り出した前記カバー板の先端と前記開口部との間の領域の前記カバー板の先端部分から下方に突き出して設けられた下方突片部を備え、
前記開口部側にある前記傾斜部の先端は、前記下方突片部の下端より下方に位置し、
前記開口部に沿った前記カバー板の傾斜が、前記カバー板の両端側から中側に向かうに連れて上っていくこと、を特徴とする画像形成装置。
【請求項１０】
請求項９に記載する画像形成装置であって、
前記カバー板の上面又は前記下方突片部の外面に溝を設けたこと、を特徴とする画像形成装置。
【請求項１１】
シート上に転写されたトナー像を定着させることにより前記シート上に画像を形成する画像形成装置であって、
前記シート上に前記トナー像を定着させる定着部と、
前記定着部の上方に設けられ、前記画像形成装置に給電する電源と、
前記電源の上方に設けられ、前記定着部により前記トナー像を定着された前記シートを排紙トレイに排紙する排紙部と、
前記排紙部による前記シートの排紙方向において前記排紙部の一方向側に設けられた前記排紙トレイと、
前記排紙方向において前記排紙部と前記排紙トレイとの間に前記排紙方向に開口して設けられ、前記排紙部により前記シートが前記排紙トレイに排紙される際に経由する排紙口と、
上下方向、及び前記排紙方向に直交する直交方向において、前記電源の一方向側に設けられ、作動時に前記画像形成装置内部の空気を前記画像形成装置の外部に吐き出すファンと、
前記電源の上部に設けられ、前記電源をカバーするカバー板と、
前記カバー板の下方において、前記電源の前記排紙方向における他方向側に設けられ、前記上下方向に延出する延出板と、
前記カバー板と前記延出板との間に設けられ、前記排紙方向に開口した開口部と、を備えたこと、を特徴とする画像形成装置。
【発明の詳細な説明】
【技術分野】
【０００１】
本発明は、定着部の上の位置に置かれた電源を有する画像形成装置に関する。
【背景技術】
【０００２】
従来の画像形成装置には、定着部の上の位置に電源が置かれたものがある。定着部の上に電源があると、電源がオフになった場合でも、定着部の余熱で電源が暖まってしまう。そこで、下記特許文献１に記載の技術のように、電源を収納する電源収納室において電源の上方に設けた排気口により、電源の冷却を行っていた。
【先行技術文献】
【特許文献】
【０００３】
【特許文献１】特開平４−３５９２７０号公報
【発明の概要】
【発明が解決しようとする課題】
【０００４】
しかしながら、排気口が電源の上方に位置するため、排気口から水滴等の異物が侵入すると、異物が電源に落下する。異物が電源に落下すれば、ショートや故障が電源に発生するおそれがあった。
【０００５】
そこで、本発明は、上述した点を鑑みてなされたものであり、異物の侵入を抑制しながら電源の冷却を行うことができる画像形成装置を提供することを課題とする。
【課題を解決するための手段】
【０００６】
この課題を解決するためになされた請求項１に係る発明は、シート上に転写されたトナー像を定着させることにより前記シート上に画像を形成する画像形成装置であって、前記シート上に前記トナー像を定着させる定着部と、前記定着部の上方に設けられ、前記画像形成装置に給電する電源と、作動時に前記電源を冷却する冷却ファンと、前記電源が収容された収容部と、を備え、前記収容部は、前記収容部の上部に設けられたカバー板と、前記電源の上下方向に交差する側方において、前記上下方向に延出する延出板と、前記カバー板と前記延出板との間に形成され、前記側方に向けて開口した開口部と、を有すること、を特徴とする。
【０００７】
また、請求項２に係る発明は、請求項１に記載する画像形成装置であって、前記カバー板は、前記側方に延出し、前記延出板は、前記カバー板の下方に設けられ、前記開口部は、前記カバー板と前記延出板とが上下方向において離間することにより形成された開口であり、前記カバー板は、前記側方において前記延出板部より張り出していること、を特徴とする。
【０００８】
また、請求項３に係る発明は、請求項１又は請求項２に記載する画像形成装置であって、前記収容部の前記開口部より下方に設けられた吸気口を備えたこと、を特徴とする。
【０００９】
また、請求項４に係る発明は、請求項１乃至請求項３のいずれか一つに記載する画像形成装置であって、前記収容部の側面から前記開口部へ向かうに連れて上っていく傾斜部を前記収容部の内部に設けたこと、を特徴とする。
【００１０】
また、請求項５に係る発明は、請求項１乃至請求項４のいずれか一つに記載する画像形成装置であって、前記開口部は、前記カバー板と前記電源との間に並んで設けられた複数の通気口を有し、前記複数の通気口は、前記冷却ファンから遠ざかるに連れて開口面積が大きいこと、を特徴とする。
【００１１】
また、請求項６に係る発明は、請求項１乃至請求項４のいずれか一つに記載する画像形成装置であって、前記開口部は、前記冷却ファンから遠ざかるに連れて前記上下方向における開口幅が長いこと、を特徴とする。
【００１２】
また、請求項７に係る発明は、請求項１乃至請求項６のいずれか一つに記載する画像形成装置であって、前記カバー板は、前記収容部の側面のうち前記開口部と対向する側面側よりも前記開口部側が高く傾斜していること、を特徴とする。
【００１３】
また、請求項８に係る発明は、請求項１乃至請求項７のいずれか一つに記載する画像形成装置であって、前記開口部より張り出した前記カバー板の先端から上方に突出して設けられた上方突片部を備えたこと、を特徴とする。
【００１４】
また、請求項９に係る発明は、請求項４に記載する画像形成装置であって、前記開口部より張り出した前記カバー板の先端と前記開口部との間の領域の前記カバー板の先端部分から下方に突き出して設けられた下方突片部を備え、前記開口部側にある前記傾斜部の先端は、前記下方突片部の下端より下方に位置し、前記開口部に沿った前記カバー板の傾斜が、前記カバー板の両端側から中側に向かうに連れて上っていくこと、を特徴とする。
【００１５】
また、請求項１０に係る発明は、請求項９に記載する画像形成装置であって、前記カバー板の上面又は前記下方突片部の外面に溝を設けたこと、を特徴とする。
【００１６】
また、請求項１１に係る発明は、シート上に転写されたトナー像を定着させることにより前記シート上に画像を形成する画像形成装置であって、前記シート上に前記トナー像を定着させる定着部と、前記定着部の上方に設けられ、前記画像形成装置に給電する電源と、前記電源の上方に設けられ、前記定着部により前記トナー像を定着された前記シートを排紙トレイに排紙する排紙部と、前記排紙部による前記シートの排紙方向において前記排紙部の一方向側に設けられた前記排紙トレイと、前記排紙方向において前記排紙部と前記排紙トレイとの間に前記排紙方向に開口して設けられ、前記排紙部により前記シートが前記排紙トレイに排紙される際に経由する排紙口と、上下方向、及び前記排紙方向に直交する直交方向において、前記電源の一方向側に設けられ、作動時に前記画像形成装置内部の空気を前記画像形成装置の外部に吐き出すファンと、前記電源の上部に設けられ、前記電源をカバーするカバー板と、前記カバー板の下方において、前記電源の前記排紙方向における他方向側に設けられ、前記上下方向に延出する延出板と、前記カバー板と前記延出板との間に設けられ、前記排紙方向に開口した開口部と、を備えたこと、を特徴とする。
【発明の効果】
【００１７】
すなわち、本発明の画像形成装置は、電源が収容された収容部を有する。収容部の上部にはカバー板が設けられる。収容部に収容された電源の上下方向に交差する側方において、上下方向に延出する延出板が収容部に設けられる。収容部では、上記側方に向けて開口した開口部がカバー板と延出板との間に形成される。つまり、収容部に収容された電源の上下方向に交差する側方に向けて、収容部の開口部が開口している。従って、上下方向で落下する異物が開口部を介して収容部内に侵入することを抑制できる。また、収容部に収容された電源は、定着部の上方に設けられる。従って、画像形成装置の作動時に電源を冷却する冷却ファンが急停止しても、収容部の開口部を介して収容部内の熱気を逃し、急停止中の冷却ファンを通過した空気が収容部内に流れ込む。この流れにより収容部内に発生した自然対流は、収容部内の電源を冷却する。以上より、本発明の画像形成装置は、異物の侵入を抑制しながら電源の冷却を行うことができる。
【図面の簡単な説明】
【００１８】
【図１】本発明の第１実施形態における画像形成装置１の外観斜視図である。
【図２】一部の構成を省略し、図１の中心線Ａ−Ａで画像形成装置１を切断した断面図である。
【図３】図２の一部であって、第１実施形態における収容部１０１付近を拡大した断面図である。
【図４】本発明の第２実施形態における収容部２０１の上部を表した断面図である。
【図５】本発明の第３実施形態における収容部３０１を表した断面図である。
【図６】第３実施形態における収容部３０１を図５の左側から右側に向かう方向で表した部分断面図である。
【図７】本発明の第４実施形態における収容部４０１を表した断面図である。
【図８】第４実施形態における収容部４０１を図７の左側から右側に向かう方向で表した断面図である。
【図９】本発明の第５実施形態における収容部５０１を延出板１０３の内面に向かう方向で表した断面図である。
【図１０】本発明の第６実施形態における収容部６０１を延出板１０３の内面に向かう方向で表した断面図である。
【図１１】図２の一部であって、本発明の第７実施形態における収容部７０１付近を拡大した断面図である。
【図１２】本発明の第８実施形態における収容部８０１の上部を表した断面図である。
【図１３】図１３（ａ）は、第８実施形態における収容部８０１の下方突起部８０２に設けられた溝８０４を下方突起部８０２の断面で表した断面図である。図１３（ｂ）は、第８実施形態における収容部８０１の下方突起部８０２に設けられた溝８０５を下方突起部８０２の断面で表した断面図である。
【図１４】本発明の第９実施形態における収容部９０１を延出板１０３の内面に向かう方向で表した断面図である。
【図１５】第９実施形態における収容部９０１をカバー板９０２の上面に向かう方向で表した平面図である。
【発明を実施するための形態】
【００１９】
［１．画像形成装置の外観］
図１に表されたように、本発明の第１実施形態における画像形成装置１は、略箱型の本体筐体２を有する。本体筐体２は、排紙トレイ３、排紙口４、上部カバー５、及び複数の通気口６Ａ，６Ｂ，６Ｃを有する。排紙トレイ３は、本体筐体２の上面の一部により構成される。排紙トレイ３の紙面後方部分には、排紙口４が形成される。排紙口４は、本体筐体２の内部と連通する。従って、排紙トレイ３では、本体筐体２の内部から排紙口４を介して排紙されたシートが積層状態で収納される。上部カバー５は、排紙トレイ３の外周部分にあたる本体筐体２の上面により構成される。複数の通気口６Ａ，６Ｂ，６Ｃは、本体筐体２の側面に設けられる。
【００２０】
［２．画像形成装置の基本内部構成］
図２に表されたように、本体筐体２の内部には、給紙部１０、画像形成部２０、定着部３０、及び排紙部４０が設けられる。尚、図２では、図示内容を分かり易くするために、殆どの断面部分に斜線を記していない。
【００２１】
給紙部１０は、本体筐体２内の下部に設けられる。給紙部１０は、給紙カセット１１、及び給紙機構部１２を有する。給紙カセット１１は、画像形成前のシートＰを積み重ねて収納するものである。給紙カセット１１は、紙面左側方向へ本体筐体２から引き出し可能に設けられる。給紙機構部１２は、給紙ローラ、分離ローラ、分離パッド、及びレジストローラ等で構成される。給紙機構部１２は、給紙カセット１１の紙面左側の直前に設けられる。給紙機構部１２は、給紙カセット１１内のシートＰを引き出して一枚毎に分離する。一枚に分離されたシートＰは、給紙機構部１２により画像形成部２０に搬送される。つまり、給紙部１０は、シートＰを画像形成部２０に給紙する機構である。
【００２２】
画像形成部２０は、本体筐体２の内部において、給紙部１０の上部に設けられる。画像形成部２０は、スキャナユニット２１、４つの画像形成ユニット２２、ベルトユニット２３を有する。スキャナユニット２１は、本体筐体２内の上部に設けられる。スキャナユニット２１は、ポリゴンモータ、ポリゴンミラー、レーザ光源、反射ミラー、及びレンズを有する。スキャナユニット２１は、ユーザ所望の画像データに基づくレーザ光をレーザ光源から出射する。レーザ光源は、ブラック、イエロー、マゼンタ、シアンの内の一色に対応するレーザ光を照射する。つまり、画像形成部２０は、シートＰに対して、ユーザ所望の画像を形成する機構部である。
【００２３】
４つの画像形成ユニット２２は、本体筐体２の内部において、スキャナユニット２１とベルトユニット２３との間で連ねて設けられる。各画像形成ユニット２２は、紙面左側から紙面右側に向かう順で、ブラック、イエロー、マゼンタ、シアンのトナー色に対応する。各画像形成ユニット２２は、感光体ドラム２４、帯電器２５、及び現像カートリッジ２６を有する。感光体ドラム２４の表面では、スキャナユニット２１から出射されたレーザ光により、画像データに基づく静電潜像が生成される。帯電器２５は、感光体ドラム２４の紙面後側斜め上方において、感光体ドラム２４の表面から所定間隔を隔てて、感光体ドラム２４と対向する位置に設けられる。帯電器２５は、スコロトロン型帯電器である。帯電器２５は、帯電ワイヤからコロナ放電を発生させることで、感光体ドラム２４の表面を一様に正極性に帯電させ得る。現像カートリッジ２６は、トナー収容室、供給ローラ、現像ローラ、及び層厚規制ブレードを有する。各現像カートリッジ２６のトナー収容室には、紙面左側から紙面右側に向かう順で、ブラック、イエロー、マゼンタ、シアンのトナーが収容されている。各トナーは、供給ローラ等によって感光体ドラム２４の表面に供給される。つまり、画像形成ユニット２２は、感光体ドラム２４の表面に生成された静電潜像にトナーを供給することで、その静電潜像を現像して可視像化する機構部である。
【００２４】
ベルトユニット２３は、４つの画像形成ユニット２２と給紙部１０との間に設けられる。ベルトユニット２３は、一対のベルト支持ローラ２７、搬送ベルト２８、及び４つの転写ローラ２９を有している。ベルト支持ローラ２７は、本体筐体２の内部において、紙面前側と紙面後側とに離して設けられる。ベルト支持ローラ２７は、駆動力が伝達されると、紙面上を時計回りに回転する。搬送ベルト２８は、一対のベルト支持ローラ２７に取り付けられる。搬送ベルト２８は、ベルト支持ローラ２７が紙面上を時計回りに回転することで、循環しながら移動する。従って、シートＰは、給紙部１０等により搬送ベルト２８上に載せられると、紙面上の左側から右側へ向かって搬送される。つまり、シートＰは、定着部３０に搬送される。
【００２５】
４つの転写ローラ２９は、搬送ベルト２８の内側で、紙面上の水平方向に一定間隔に並んで設けられる。各転写ローラ２９は、搬送ベルト２８を各感光体ドラム２４と挟むことで、各感光体ドラム２４と対向した位置にそれぞれ設けられる。従って、各転写ローラ２９は、搬送ベルト２８の内側上面に突き当たった状態にある。そのため、搬送ベルト２８が循環して移動することに伴って、各転写ローラ２９は紙面上を時計回りに回転する。搬送ベルト２８上に載せられたシートＰが感光体ドラム２４と転写ローラ２９との間を搬送ベルト２８で搬送されると、転写ローラ２９には負極性の転写バイアスが定電流制御で印加される。このとき、各感光体ドラム２４の表面上に担持されたトナー像は、転写ローラ２９に印加された転写バイアスによって、シートＰに順次転写される。つまり、ベルトユニット２３は、シートＰを定着部３０へ向かって搬送することで、感光体ドラム２４の表面上に担持されたトナー像をシートＰへ転写させるための機構部である。
【００２６】
定着部３０は、本体筐体２の内部において、ベルトユニット２３の紙面右側の位置に設けられる。定着部３０は、加熱ローラ３１、及び加圧ローラ３２を有する。加熱ローラ３１は、ハロゲンランプ等の熱源を備える。加圧ローラ３２は、加熱ローラ３１の下方に対向する位置に設けられる。加圧ローラ３２は、加熱ローラ３１を押さえ付けるように加熱ローラ３１に接している。加圧ローラ３２は、加熱ローラ３１の駆動により回転を行う。即ち、定着部３０では、トナー像を坦持したシートＰが加熱されつつ、加熱ローラ３１と加圧ローラ３２とによってシートＰが挟さまれた状態で搬送される。これにより、定着部３０は、シートＰ上のトナー像をシートＰに熱定着させる。つまり、定着部３０は、シートＰに転写されたトナー像をシートＰに熱定着させる機構部である。
【００２７】
尚、定着部３０の紙面右側の位置にはガイド部材３３が設けられる。ガイド部材３３は、トナー像が熱定着されたシートＰの排紙方向を紙面上方に変更する。
【００２８】
排紙部４０は、中間搬送ローラユニット４１、及び排紙ローラユニット４２を有している。中間搬送ローラユニット４１及び排紙ローラユニット４２は、定着部３０の上方から排紙口４へと延びるシート搬送路４３に沿って設けられる。シート搬送路４３では、本体筐体２内の上方部分に湾曲部４４が設けられる。湾曲部４４は、中間搬送ローラユニット４１の上部と排紙口４の近傍を接続するように湾曲したシート搬送路４３の一部を構成する。湾曲部４４は、シートＰが中間搬送ローラユニット４１を通過する際に、シートＰの排紙方向を紙面上方向から紙面左側方向に変更する。即ち、シートＰの排紙方向は、排紙口４及び排紙トレイ３へ向かう方向に変更される。
【００２９】
つまり、排紙部４０は、シートＰの排紙方向において当該排紙部４０の紙面左方向側に設けられた排紙トレイ３に、画像が形成されたシートＰを排紙する機構部である。また、排紙部４０によりシートＰが排紙トレイ３に排紙される際には、排紙中のシートＰは排紙口４を経由する。つまり、排紙口４は、シートＰの排紙方向において、排紙部４０と排紙トレイ３との間でシートＰの排紙方向に開口するように設けられる。
【００３０】
中間搬送ローラユニット４１は、正逆方向に回転可能な複数のローラにより構成される。中間搬送ローラユニット４１は、定着部３０の上方において、シート搬送路４３上で搬送されるシートＰを挟んだ状態で搬送する。従って、中間搬送ローラユニット４１は、シートＰが排紙トレイ３に排紙される際に所定方向に回転することで、湾曲部４４を経由して、シートＰを排紙ローラユニット４２及び排紙口４に搬送する。
【００３１】
排紙ローラユニット４２は、本体筐体２内の上部において、排紙口４近傍に設けられる。排紙ローラユニット４２は、複数のローラにより構成される。排紙ローラユニット４２は、中間搬送ローラユニット４１の上方において、シート搬送路４３上で搬送されるシートＰを挟んだ状態で搬送する。従って、排紙ローラユニット４２は、シートＰが排紙トレイ３に排紙される際に所定方向に回転することで、湾曲部４４を経由したシートＰを、排紙口４を介して、排紙トレイ３に排紙する機構部である。
【００３２】
［３．第１実施形態における収容部］
図２に表されたように、定着部３０の上方に収容部１０１が設けられる。収容部１０１には、低圧電源５０が収められる。つまり、低圧電源５０は、定着部３０の上方に位置する。低圧電源５０は、画像形成装置１に給電する。低圧電源５０は、本発明の作用をわかりやすく説明するために、図２以外は省略する。
【００３３】
低圧電源５０、及び収容部１０１の紙面後方には、冷却ファン６０が本体筐体２の内側に設けられる。つまり、紙面上下方向、及びシートＰの排紙方向に直交する紙面前方に向けて冷却ファン６０が設けられる。冷却ファン６０は、画像形成装置１の作動時に低圧電源５０を冷却する。冷却ファン６０は、画像形成装置１の作動時に空気を画像形成装置１外に吐き出すことで、低圧電源５０を冷却する吐き出しファンである。そのため、収容部１０１には、冷却ファン６０による強制的な気流を収容部１０１の内部から外部に流すための連通口が設けられる。さらに、冷却ファン６０は、上記図１に表された複数の通気口６Ａ，６Ｂ，６Ｃを介して、画像形成装置１の作動時に本体筐体２内の空気を画像形成装置１の外部に吐き出す。
【００３４】
図３に表されたように、収容部１０１は、カバー板１０２、延出板１０３、及び複数の壁面板１０４，１０５，１０６等で構成されたエンクロージャーである。壁面板１０４，１０５，１０６とカバー板１０２とで段差が設けられる。カバー板１０２は、紙面水平方向に延びている。カバー板１０２は、収容部１０１の上部に設けられる。つまり、カバー板１０２は、低圧電源５０の上部に位置する。従って、カバー板１０２は、低圧電源５０の上側から低圧電源５０を覆う。延出板１０３は、カバー板１０２の下方において、紙面上下方向に延びて設けられる。さらに、延出板１０３は、低圧電源５０に対して紙面上下方向と交差する紙面右側に位置する。つまり、延出板１０３は、低圧電源５０に対して排紙口４におけるシートＰの排紙方向とは反対方向側に設けられる。
【００３５】
カバー板１０２と延出板１０３との間には開口部１０７が設けられる。つまり、開口部１０７は、カバー板１０２と延出板１０３との間が紙面上下方向で離れて形成された開口である。また、収容部１０１においては、排紙部４０のシート搬送路４３上のシートＰの排紙方向に向けて開口部１０７が設けられる。言い換えれば、収容部１０１においては、紙面上下方向と交差する紙面右側に開口部１０７が設けられる。
【００３６】
以上より、開口部１０７は、紙面上下方向と交差する紙面右側で本体筐体２内の湾曲部４４と向かい合う。つまり、本体筐体２内の湾曲部４４から開口部１０７を介して収容部１０１の中に入り込む方向は紙面左方向である。一方、排紙口４は、収容部１０１の各壁面板１０４，１０５，１０６、及びカバー板１０２の紙面上方向に位置する。また、本体筐体２外から排紙口４を介して本体筐体２内の湾曲部４４に入り込む方向は紙面右方向である。すなわち、本体筐体２外からは、排紙口４を介して、本体筐体２内の湾曲部４４や収容部１０１のカバー板１０２を見ることはできるが、収容部１０１の開口部１０７を見ることができない。これに対して、収容部１０１の中からは、開口部１０７を介して、本体筐体２内の湾曲部４４を見ることはできるが、排紙口４を見ることはできない。また、開口部１０７と排紙口４とは、本体筐体２内の湾曲部４４を介して通し連なる位置関係にある。さらに、排紙口４の位置は、開口部１０７の位置よりも高い。
【００３７】
すなわち、第１実施の形態では、低圧電源５０が収容された収容部１０１を有する。収容部１０１の上部にはカバー板１０２が設けられる。収容部１０１に収容された低圧電源５０の紙面上下方向に交差する右側方において、紙面上下方向に延出する延出板１０３が収容部１０１に設けられる。収容部１０１では、上記右側方に向けて開口した開口部１０７がカバー板１０２と延出板１０３との間に形成される。つまり、収容部１０１に収容された低圧電源５０の紙面上下方向に交差する右側方に向けて、収容部１０１の開口部１０７が開口している。従って、上下方向で落下する水滴等の異物が開口部１０７を介して収容部１０１内に侵入することを抑制できる。また、収容部１０１に収容された低圧電源５０は、定着部３０の上方に設けられる。従って、画像形成装置１の作動時に低圧電源５０を冷却する冷却ファン６０が急停止しても、収容部１０１の開口部１０７を介して収容部１０１内の熱気を逃し、急停止中の冷却ファン６０を通過した空気が収容部１０１内に流れ込む。この流れにより収容部１０１内に発生した自然対流は、収容部１０１内の低圧電源５０を冷却する。以上より、画像形成装置１では、第１実施形態における収容部１０１によって、異物の侵入を抑制しながら低圧電源５０の冷却を行うことができる。
【００３８】
特に、第１実施の形態では、収容部１０１の開口部１０７を介して収容部１０１外に流れた熱気は、本体筐体２内の湾曲部４４に案内されて上昇する。この点、排紙口４の位置が開口部１０７の位置よりも高い。さらに、本体筐体２外からは、排紙口４を介して、本体筐体２内の湾曲部４４を見ることができる。従って、その上昇した熱気は、本体筐体２内の湾曲部４４から排紙口４を通って、本体筐体２外に流れやすい。さらに、本体筐体２外からは、排紙口４を介して、収容部１０１のカバー板１０２を見ることはできるが、収容部１０１の開口部１０７は見ることができない。従って、排紙口４を介して、本体筐体２内に異物が侵入しても、その異物は収容部１０１の開口部１０７に直接に向かうことはできない。つまり、第１実施形態における収容部１０１は、異物の侵入を抑制しながら低圧電源５０の冷却を行うことができる効果が大きい。
【００３９】
尚、カバー板１０２は収容部１０１の一部を構成する。もっとも、カバー板１０２に代えて、収容部１０１とは別個のカバー板が設けられた場合であっても、その別個のカバー板は収容部１０１の一部を構成する。
【００４０】
［４．第２実施形態における収容部］
第２実施形態においては、第１実施形態における構成と同様の構成については第１実施形態における符号と同一の符号を付す。同一の符号を付された構成の説明は省略する。
【００４１】
図４に表されたように、収容部２０１は、カバー板２０２、延出板１０３、及び複数の壁面板１０４，１０５，１０６等で構成されたエンクロージャーである。壁面板１０４，１０５，１０６とカバー板２０２とで段差が設けられる。カバー板２０２は、紙面水平方向に延びている。カバー板２０２は、収容部１０１の上部に設けられる。つまり、カバー板２０２は、低圧電源５０の上部に位置する。従って、カバー板２０２は、低圧電源５０の上側から低圧電源５０を覆う。
【００４２】
カバー板２０２と延出板１０３との間には開口部１０７が設けられる。つまり、開口部１０７は、カバー板２０２と延出板１０３との間が紙面上下方向に離れて形成された開口である。
【００４３】
さらに、カバー板２０２は、低圧電源５０に対して紙面上下方向と交差する紙面右側の方向に伸び出すことで、二点鎖線２０３で示すように、延出板１０３、及び開口部１０７より張り出している。
【００４４】
すなわち、第２実施形態では、上記第１実施形態の効果に加えて、以下の効果を奏する。つまり、第２実施形態では、カバー板２０２は、二点鎖線２０３で示すように、延出板１０３、及び開口部１０７より張り出している。従って、カバー板２０２上に水滴等の異物が載った場合に、その異物がカバー板２０２から落下したとしても、カバー板２０２の張り出しによって、開口部１０７、及び延出板１０３に対して紙面右側で落下する。つまり、水滴等の異物が開口部１０７を介して収容部１０１内に侵入することを一段と抑制できる。
【００４５】
尚、カバー板２０２は収容部１０１の一部を構成する。もっとも、カバー板２０２に代えて、収容部１０１とは別個のカバー板が設けられた場合であっても、その別個のカバー板は収容部１０１の一部を構成する。
【００４６】
［５．第３実施形態における収容部］
第３実施形態においては、第２実施形態における構成と同様の構成については第２実施形態における符号と同一の符号を付す。同一の符号を付された構成の説明は省略する。
【００４７】
図５に表されたように、収容部３０１は、底面板３０２を有する。さらに、収容部３０１には、開口部１０７より下方において吸気口３０３が設けられる。具体的には、吸気口３０３は、収容部３０１の最下部に設けられる。さらに、吸気口３０３は、冷却ファン６０に対向した位置に設けられる。そして、図６に表されたように、冷却ファン６０が急停止した際には、収容部３０１内の熱気は開口部１０７を介して収容部３０１外に自然に流出する。それに伴って、冷却ファン６０、及び吸気口３０３を介して収容部３０１内に空気が自然に流入する。これらの流れにより、符号３０４，３０５等に示すように、側方、且つ下方から上方に向けて自然対流が収容部３０１内に発生する。
【００４８】
すなわち、第３実施形態では、上記第１実施形態、及び上記第２実施形態の各効果に加えて、以下の効果を奏する。つまり、第３実施形態では、収容部３０１の内部において、吸気口３０３を下方に寄せることで、収容部３０１内の下部に空気が滞留することを抑制できる。特に、第３実施形態では、収容部３０１の最下部に吸気口３０３が設けられる。従って、収容部３０１内の下部に空気が滞留することを一段と抑制できる。尚、第３実施形態では、収容部３０１の最下部に吸気口３０３が設けられていた。しかし、例えば、収容部３０１の中央部よりも下方に吸気口３０３を設けても、収容部３０１内の下部に空気が滞留することを抑制し得る。
【００４９】
［６．第４実施形態における収容部］
第４実施形態においては、第３実施形態における構成と同様の構成については第３実施形態における符号と同一の符号を付す。同一の符号を付された構成の説明は省略する。
【００５０】
図７に表されたように、収容部４０１の内部では、壁面板１０６とカバー板２０２との双方に当接させた状態で傾斜部４０２が設けられる。従って、傾斜部４０２は、壁面板１０６から開口部１０７へ向かうに連れて上がっていく。また、カバー板２０２と傾斜部４０２とが当接する箇所は、二点鎖線２０３で示すように、延出板１０３、及び開口部１０７より張り出していない位置にある。つまり、カバー板２０２と傾斜部４０２とが当接する箇所は、延出板１０３、及び開口部１０７より収容部４０１の内側に位置する。さらに、図８に表されたように、収容部４０１の内部では、冷却ファン６０側の上方において、収容部４０１の側面から開口部１０７へ向かうに連れて上っていく傾斜部４０３が設けられる。また、収容部４０１の内部では、吸気口３０３側の上方において、収容部４０１の側面から開口部１０７へ向かうに連れて上っていく傾斜部４０４が設けられる。
【００５１】
そして、図８に表されたように、冷却ファン６０が急停止した際には、収容部４０１内の熱気は開口部１０７を介して収容部４０１外に自然に流出する。それに伴って、冷却ファン６０及び吸気口３０３を介して収容部４０１内に空気が自然に流入する。これらの流れにより、上述したように、符号３０４，３０５等に示すように側方、且つ下方から上方に向けて自然対流が図７に表された傾斜部４０２に沿って収容部４０１内に発生する。さらに、収容部４０１内の上隅部においても、符号４０５，４０６等に示すように側方、且つ下方から上方に向けて自然対流が傾斜部４０３，４０４に沿って発生する。
【００５２】
すなわち、第４実施形態では、上記第１実施形態、上記第２実施形態、及び上記第３実施形態の各効果に加えて、以下の効果を奏する。つまり、第４実施形態では、収容部４０１の内部において、傾斜部４０２，４０３，４０４を設けることで、収容部４０１内に発生した自然対流を開口部１０７にスムーズに向けることができる。特に、第４実施形態では、傾斜部４０２，４０３，４０４によって、収容部４０１内の上隅部に熱気が滞留することを確実に防止する。
【００５３】
［７．第５実施形態における収容部］
第５実施形態においては、第３実施形態における構成と同様の構成については第３実施形態における符号と同一の符号を付す。同一の符号を付された構成の説明は省略する。
【００５４】
図９に表されたように、収容部５０１では、カバー板２０２の下側で３つの通気口５０２，５０３，５０４が並んで延出板１０３に設けられる。つまり、収容部５０１に収められた低圧電源５０とカバー板２０２との間において、３つの通気口５０２，５０３，５０４が並んで設けられる。３つの通気口５０２，５０３，５０４は、冷却ファン６０から遠ざかるに連れて開口面積が大きく設けられる。つまり、３つの通気口５０２，５０３，５０４は、紙面左側から紙面右側の方向に並んだ順番で、開口面積が大きく設けられる。これらの通気口５０２，５０３，５０４の集合物は、上述した開口部１０７を構成する。
【００５５】
そして、冷却ファン６０が通常稼働した際には、冷却ファン６０を介して、符号５０５，５０６等に示すような気流が収容部５０１の内部から外部に向かって強制的に発生する。それに伴って、吸気口３０３を介して、符号５０７等に示すような気流が収容部５０１の外部から内部に向かって発生する。さらに、各通気口５０２，５０３，５０４を介して、符号５０８，５０９，５１０等に示すような気流が収容部５０１の外部から内部に向かって発生する。この点、冷却ファン６０による強制的な気流の影響は、冷却ファン６０から遠ざかるに連れて弱くなる。しかしながら、３つの通気口５０２，５０３，５０４は、冷却ファン６０から遠ざかるに連れて開口面積が大きく設けられる。従って、３つの通気口５０２，５０３，５０４は、冷却ファン６０による強制的な気流の影響を均一に分散させることができる。そのため、３つの通気口５０２，５０３，５０４を介して収容部５０１の内部に流れ込む各空気量はほぼ均一となる。
【００５６】
すなわち、第５実施形態では、上記第１実施形態、上記第２実施形態、及び上記第３実施形態の各効果に加えて、以下の効果を奏する。つまり、第５実施形態では、冷却ファン６０から遠ざかるに連れて開口面積が大きく設けられた３つの通気口５０２，５０３，５０４からなる開口部１０７により、冷却ファン６０の通常稼働時において収容部５０１の内部に流れ込む各空気量をほぼ均一にする。そのため、収容部５０１内の低圧電源５０がほぼ均等に冷却される。
【００５７】
尚、カバー板２０２の下側で並んで延出板１０３に設けられる通気口の個数は、冷却ファン６０から遠ざかるに連れて通気口の開口面積が大きく設けられるならば、上述した第５実施形態のような３つに限られることはない。そのような通気口の個数は、２つ又は４つ以上のいずれであってもよい。また、上述した第５実施形態の技術は、上記図３に表された第１実施形態、上記図４に表された第２実施形態、上記図５等に表された第３実施形態、又は上記図７等に表された第４実施形態のいずれに対しても適用できる。
【００５８】
［８．第６実施形態における収容部］
第６実施形態においては、第３実施形態における構成と同様の構成については第３実施形態における符号と同一の符号を付す。同一の符号を付された構成の説明は省略する。
【００５９】
図１０に表されたように、収容部６０１では、カバー板２０２と延出板１０３との間に開口部１０７が設けられる。開口部１０７では、冷却ファン６０から遠ざかるに連れて紙面上下方向における開口幅Ｄが長くなる。
【００６０】
そして、冷却ファン６０が通常稼働した際には、冷却ファン６０を介して、符号６０５，６０６等に示すような気流が収容部６０１の内部から外部に向かって強制的に発生する。それに伴って、吸気口３０３を介して、符号６０７等に示すような気流が収容部６０１の外部から内部に向かって発生する。さらに、開口部１０７を介して、符号６０８，６０９，６１０等に示すような気流が収容部６０１の外部から内部に向かって発生する。この点、冷却ファン６０による強制的な気流の影響は、冷却ファン６０から遠ざかるに連れて弱くなる。しかしながら、開口部１０７は、冷却ファン６０から遠ざかるに連れて紙面上下方向における開口幅Ｄが長くなる。つまり、開口部１０７は、冷却ファン６０から遠ざかるに連れて開口面積が大きくなる。従って、開口部１０７は、冷却ファン６０による強制的な気流の影響を均一に分散させることができる。そのため、開口部１０７を介して収容部６０１の内部に流れ込む各空気量は、その流れ込み箇所から冷却ファン６０までの距離に関係なく、ほぼ均一になる。
【００６１】
すなわち、第６実施形態では、上記第１実施形態、上記第２実施形態、及び上記第３実施形態の各効果に加えて、以下の効果を奏する。つまり、第６実施形態では、冷却ファン６０から遠ざかるに連れて紙面上下方向における開口幅Ｄが長くなる開口部１０７により、冷却ファン６０の通常稼働時において収容部６０１の内部に流れ込む各空気量をほぼ均一にする。そのため、収容部６０１内の低圧電源５０がほぼ均等に冷却される。
【００６２】
また、上述した第６実施形態の技術は、上記図３に表された第１実施形態、上記図４に表された第２実施形態、上記図５等に表された第３実施形態、又は上記図７等に表された第４実施形態のいずれに対しても適用できる。
【００６３】
［９．第７実施形態における収容部］
第７実施形態においては、第１実施形態における構成と同様の構成については第１実施形態における符号と同一の符号を付す。同一の符号を付された構成の説明は省略する。
【００６４】
図１１に表されたように、収容部７０１は、カバー板７０２、延出板１０３、及び複数の壁面板１０４，１０５，１０６等で構成されたエンクロージャーである。壁面板１０４，１０５，１０６とカバー板７０２とで段差が設けられる。カバー板７０２は、収容部７０１の上部に設けられる。つまり、カバー板７０２は、低圧電源５０の上部に位置する。従って、カバー板７０２は、低圧電源５０の上側から低圧電源５０を覆う。
【００６５】
カバー板７０２と延出板１０３との間には開口部１０７が設けられる。つまり、開口部１０７は、カバー板７０２と延出板１０３との間が紙面上下方向に離れて形成された開口である。
【００６６】
カバー板７０２は、収容部７０１の上部において、開口部１０７と対向する壁面板１０６側よりも開口部１０７側が高く傾斜するように設けられる。さらに、カバー板７０２は、低圧電源５０に対して紙面上下方向と交差する紙面右側の方向に伸び出すことで、二点鎖線７０３で示すように、延出板１０３、及び開口部１０７より張り出している。開口部１０７より張り出したカバー板７０２の先端には、紙面上方に突出した上方突片部７０４が設けられる。
【００６７】
すなわち、第７実施形態では、上記第１実施形態の効果に加えて、以下の効果を奏する。つまり、第７実施形態では、カバー板７０２は、二点鎖線７０３で示すように、延出板１０３、及び開口部１０７より張り出している。また、カバー板７０２の先端には、紙面上方に突出した上方突片部７０４が設けられる。さらに、カバー板７０２は、開口部１０７と対向する壁面板１０６側よりも開口部１０７側が高く傾斜している。従って、カバー板７０２上に水滴等の異物が載ったとしても、その異物が開口部１０７に回り込むことを上方突片部７０４により確実に防止できる。さらに、カバー板７０２上に載った水滴等の異物は、カバー板７０２の傾斜により、開口部１０７側から開口部１０７と対向する壁面板１０６側に誘導される。これにより、開口部１０７を介して水滴等の異物が収容部７０１内に侵入することを格段と抑制できる。さらに、第７実施形態では、カバー板７０２の傾斜により、収容部７０１内の熱気を開口部１０７を通して収容部７０１外にスムーズに導くことができる。
【００６８】
尚、カバー板７０２は収容部１０１の一部を構成する。もっとも、カバー板７０２に代えて、収容部７０１とは別個のカバー板が設けられた場合であっても、その別個のカバー板は収容部７０１の一部を構成する。
【００６９】
また、上述した第７実施形態の技術は、上記図７等に表された第４実施形態、上記図９に表された第５実施形態、又は上記図１０に表された第６実施形態に対しても適用できる。
【００７０】
［１０．第８実施形態における収容部］
第８実施形態においては、第２実施形態における構成と同様の構成については第２実施形態における符号と同一の符号を付す。同一の符号を付された構成の説明は省略する。
【００７１】
図１２に表されたように、収容部８０１では、開口部１０７より張り出したカバー板２０２の先端と開口部１０７との間の領域であるカバー板２０２の先端部分において、下方に突き出した下方突片部８０２が設けられる。つまり、下方突片部８０２は、二点鎖線２０３で示すように、延出板１０３、及び開口部１０７より張り出したカバー板２０２の先端部分に設けられる。また、収容部８０１の内部には、壁面板１０６から開口部１０７へ向かうに連れて上がっていく傾斜部８０３が壁面板１０６に設けられる。傾斜部８０３は、開口部１０７側にある傾斜体８０３の先端が下方突片部８０２の下端より下方に位置する。
【００７２】
図１３（ａ）に表されたように、下方突片部８０２には、カバー板２０２の紙面前後方向に沿った２個の溝８０４が設けられる。つまり、各溝８０４は、紙面上下方向と交差する紙面右側で、上記図２に表された本体筐体２内の湾曲部４４と向かい合う。尚、このようにして下方突片部８０２に設けられる溝の個数は、本第８実施形態のような２つに限られることはない。そのような溝の個数は、１つ又は３つ以上のいずれであってもよい。
【００７３】
これに対して、図１３（ｂ）に表されたように、下方突片部８０２には、下方突片部８０２の下端部分が紙面上下方向と交差する紙面右側に折り曲げられたことによって、溝８０５を設けてもよい。つまり、溝８０５は、紙面上下方向と交差する紙面右側で、上記図２に表された本体筐体２内の湾曲部４４と向かい合う。尚、このような溝８０５は、下方突片部８０２の折曲部材を個別に用意することで設けてもよい。個別に用意された折曲部材は、下方突片部８０２の下端部分において、紙面上下方向と交差する紙面右側に突き出すように設けられる。
【００７４】
すなわち、第８実施形態では、上記第１実施形態、及び上記第２実施形態の各効果に加えて、以下の効果を奏する。つまり、第８実施形態では、カバー板２０２の先端は、二点鎖線２０３で示すように、延出板１０３、及び開口部１０７より張り出す。その張り出したカバー板２０２の先端には、紙面下方に突出した下方突片部８０２が設けられる。従って、カバー板２０２上に水滴等の異物が載ったとしても、その異物が開口部１０７に回り込むことを下方突片部８０２により確実に防止できる。さらに、開口部１０７に回り込もうとした水滴等の異物は、下方突片部８０２において紙面右側に設けられた溝８０４，８０５により、開口部１０７から離れるように誘導することができる。
【００７５】
［１１．第９実施形態における収容部］
第９実施形態においては、第８実施形態における構成と同様の構成については第８実施形態における符号と同一の符号を付す。同一の符号を付された構成の説明は省略する。
【００７６】
図１４、及び図１５に表されたように、収容部９０１は、カバー板９０２、延出板１０３、複数の壁面板１０４，１０５，１０６、及び底面板９００等で構成されたエンクロージャーである。壁面板１０４，１０５，１０６とカバー板９０２とで段差が設けられる。カバー板９０２は、収容部９０１の上部に設けられる。つまり、カバー板９０２は、低圧電源５０の上部に位置する。従って、カバー板９０２は、低圧電源５０の上側から低圧電源５０を覆う。
【００７７】
カバー板９０２と延出板１０３との間には開口部１０７が設けられる。つまり、開口部１０７は、カバー板９０２と延出板１０３との間が紙面上下方向に離れて形成された開口である。
【００７８】
さらに、カバー板９０２の上面は、二点鎖線９０３で示されるように、カバー板９０２の両端９０２Ａ，９０２Ｂ側から中側にある稜線９０２Ｃに向かうに連れて上っていく傾斜を有する。さらに、カバー板９０２の上面には、４つの溝９０４，９０５，９０６，９０７が設けられる。カバー板９０２の上面に設けられる溝の個数は、本第９実施形態のような４つに限られることはない。そのような溝の個数は、３つ以下又は５つ以上のいずれであってもよい。
【００７９】
すなわち、第９実施形態では、上記第１実施形態、上記第２実施形態、及び上記第８実施形態の各効果に加えて、以下の効果を奏する。つまり、第９実施形態では、カバー板９０２の上面は、二点鎖線９０３で示されるように、カバー板９０２の両端９０２Ａ，９０２Ｂ側から中側にある稜線９０２Ｃに向かうに連れて上っていく傾斜を有する。従って、カバー板９０２上に水滴等の異物が載ったとしても、カバー板９０２上の異物は、カバー板９０２の傾斜によって、カバー板９０２の両端９０２Ａ，９０２Ｂ側に導かれる。これにより、カバー板９０２上の異物を開口部１０７から離れるように誘導することができる。さらに、カバー板９０２の上面に設けられた溝９０４，９０５，９０６，９０７により、開口部１０７から離れるように誘導することを向上させる。
【００８０】
尚、カバー板９０２は収容部９０１の一部を構成する。もっとも、カバー板９０２に代えて、収容部９０１とは別個のカバー板が設けられた場合であっても、その別個のカバー板は収容部９０１の一部を構成する。
【００８１】
［１２．その他］
尚、本発明は上記実施形態に限定されるものでなく、その趣旨を逸脱しない範囲で様々な変更が可能である。
【００８２】
［１２．−１  各実施形態における開口部］
例えば、各実施形態における開口部１０７は、上記図２の紙面上下方向と交差する紙面右側で本体筐体２内の湾曲部４４と向かい合うように開口している。この点、各実施形態における開口部１０７は、上記図２の紙面上下方向と交差する紙面左側に向けて開口してもよい。あるいは、各実施形態における開口部１０７は、上記図２の紙面上下方向と交差する紙面前側、又は紙面後側のいずれかに向けて開口してもよい。
【００８３】
［１２．−２  各実施形態における冷却ファン］
また、上記図６、上記図８、上記図９、上記図１０、上記図１４における冷却ファン６０は、紙面左側にある。この点、これらの図面に表された冷却ファン６０は、紙面右側にあってもよい。つまり、冷却ファン６０は、紙面上、左右逆であってもよい。
【符号の説明】
【００８４】
１  画像形成装置
３  排紙トレイ
４  排紙口
３０  定着部
４０  排紙部
５０  低圧電源（電源）
６０  冷却ファン
１０１  収容部
１０２  カバー板
１０３  延出板
１０７  開口部
２０１  収容部
２０２  カバー板
３０１  収容部
３０３  吸気口
４０１  収容部
４０２  傾斜部
４０３  傾斜部
４０４  傾斜部
５０１  収容部
５０２  開口部
５０３  開口部
５０４  開口部
６０１  収容部
７０１  収容部
７０２  カバー板
７０４  上方突片部
８０１  収容部
８０２  下方突起部
８０３  傾斜部
８０４  下方突起部の溝
８０５  下方突起部の溝
９０１  収容部
９０２  カバー板
９０４  カバー板の溝
９０５  カバー板の溝
９０６  カバー板の溝
９０７  カバー板の溝
Ｄ  開口部の上下方向における開口幅
Ｐ  シート
【図１】
2013080170.tif 000003
【図２】
2013080170.tif 000004
【図３】
2013080170.tif 000005
【図４】
2013080170.tif 000006
【図５】
2013080170.tif 000007
【図６】
2013080170.tif 000008
【図７】
2013080170.tif 000009
【図８】
2013080170.tif 000010
【図９】
2013080170.tif 000011
【図１０】
2013080170.tif 000012
【図１１】
2013080170.tif 000013
【図１２】
2013080170.tif 000014
【図１３】
2013080170.tif 000015
【図１４】
2013080170.tif 000016
【図１５】
2013080170.tif 000017